(57)【要約】【課題】意匠パネルの透過照明を均一化することが可能な照明装置及びこの照明装置を備えた操作スイッチ装置を提供する。【解決手段】照明装置は、表示意匠３ａが形成される意匠パネル３と、表示意匠３ａを照明する発光素子４ｂとが実装される回路基板４と、回路基板４の表面に少なくとも発光素子４ｂ周辺を除いて形成される光反射性の反射部４ｄと、発光素子４ｂ周辺に設けられる低反射部４ｅと、を備えてなることを特徴とする。低反射部４ｅは、発光素子４ｂを中心とした円形状に形成されてなる。反射部４ｄは、白色である。反射部４ｄはシルク印刷によって形成されてなり、低反射部４ｅはシルク印刷がなされない個所からなる。【選択図】  図２
2010107654.tif 000002
【特許請求の範囲】
【請求項１】
表示意匠が形成される意匠パネルと、前記意匠パネルの背面側に配設され前記表示意匠を照明する発光素子が実装される回路基板と、前記回路基板の表面に少なくとも前記発光素子周辺を除いて形成される光反射性の反射部と、前記発光素子周辺に設けられる低反射部と、を備えてなることを特徴とする照明装置。
【請求項２】
前記低反射部は、前記発光素子を中心とした円形状に形成されてなることを特徴とする請求項１の照明装置。
【請求項３】
前記反射部は、白色であることを特徴とする請求項１に記載の照明装置。
【請求項４】
前記反射部はシルク印刷によって形成されてなり、前記低反射部はシルク印刷がなされない個所からなることを特徴とする請求項１に記載の照明装置。
【請求項５】
前記意匠パネルと前記発光素子との間に、前記発光素子からの光を拡散させる拡散板を設けてなることを特徴とする請求項１に記載の照明装置。
【請求項６】
スイッチを操作するための光透過性のスイッチノブと、前記スイッチノブの前面側に設けられ操作機能に応じた表示意匠が形成される意匠パネルと、前記スイッチ及び前記表示意匠を照明する発光素子とが実装される回路基板と、前記回路基板の表面に少なくとも前記発光素子周辺を除いて形成される光反射性の反射部と、前記発光素子周辺に設けられる低反射部と、を備えてなることを特徴とする操作スイッチ装置。
【請求項７】
前記低反射部は、前記発光素子を中心とした円形状に形成されてなることを特徴とする請求項６の操作スイッチ装置。
【請求項８】
前記低反射部は、前記スイッチノブの少なくとも一部と対向するように形成されてなることを特徴とする請求項６に記載の操作スイッチ装置。
【請求項９】
前記反射部は、白色であることを特徴とする請求項６に記載の操作スイッチ装置。
【請求項１０】
前記反射部はシルク印刷によって形成されてなり、前記低反射部はシルク印刷がなされない個所からなることを特徴とする請求項６に記載の操作スイッチ装置。
【請求項１１】
前記意匠パネルと前記発光素子との間に、前記発光素子からの光を拡散させる拡散板を設けてなることを特徴とする請求項６に記載の操作スイッチ装置。
【発明の詳細な説明】
【技術分野】
【０００１】
本発明は、照明装置及びこの照明装置を備える操作スイッチ装置に関し、特に照明の均一化に関するものである。
【背景技術】
【０００２】
車速，エンジン回転数，水温，油圧等の様々な車両の走行状態（以下、車両情報という）を表示する車両用計器としては、例えば駆動本体に指針が装着され、前記指針を表示板上で回動させることで前記車両情報を示す計測量を表示するアナログ式表示部や液晶表示パネル等からなるデジタル式表示部を単一のケース体内に収納してなり、車両に通常搭載されるコンビネーションメータとは別に前記車両情報をより詳細に監視するいわゆるアフターメータがある（例えば特許文献１参照）。
【特許文献１】特開平６−３８５９３号公報
【特許文献２】特開平２−１５５１３６号公報
【特許文献３】特開２０００−３４００６１号公報
【発明の開示】
【発明が解決しようとする課題】
【０００３】
かかるアフターメータにおいては、前記車両情報の記憶及び再生やピーク値の表示などの多機能を有することが一般的であり、これらの機能や表示の操作を行うために単数あるいは複数の操作スイッチを有する操作部を備える必要がある。
【０００４】
前記操作部を前記ケース体内に一体に設ける場合には前記表示部の表示領域が狭くなるため小型のアフターメータにおいては前記操作部を有する操作スイッチ装置を別体に設ける場合がある。かかる操作スイッチ装置は、夜間使用のためやアフターメータとの一体感を演出するためにスイッチの操作機能に応じた表示意匠が形成される意匠パネルがＬＥＤなどの発光素子によって透過照明される。また、照明には効率化及び均一化が求められており、従来は特許文献２に開示されるようにスイッチ及びＬＥＤが実装される絶縁基板上全面に白色シートを設ける方法や、特許文献３に開示されるように拡散板を設ける方法などが知られている。しかしながら、アフターメータに用いられる操作スイッチ装置は、取り付けスペースに自由度を持たせるべく更なる薄型化及び小型化が求められており、そのために前記意匠部とＬＥＤとの間隔が近くなると従来の方法ではＬＥＤの実装個所付近で照明の輝度が高くなりすぎ、照明にムラが生じてしまうという問題点があった。
【０００５】
そこで、本発明は、上述した課題に着目してなされたものであり、機器に備えられる意匠パネルの透過照明を均一化することが可能な照明装置及びこの照明装置を備える操作スイッチ装置を提供することを目的とする。
【課題を解決するための手段】
【０００６】
本発明は、前記課題を解決するため、表示意匠が形成される意匠パネルと、前記表示意匠を照明する発光素子とが実装される回路基板と、前記回路基板の表面に少なくとも前記発光素子周辺を除いて形成される光反射性の反射部と、前記発光素子周辺に設けられる低反射部と、を備えてなることを特徴とする。
【０００７】
また、前記低反射部は、前記発光素子を中心とした円形状に形成されてなることを特徴とする。
【０００８】
また、前記反射部は、白色であることを特徴とする。
【０００９】
また、前記反射部はシルク印刷によって形成されてなり、前記低反射部はシルク印刷がなされない個所からなることを特徴とする。
【００１０】
また、前記意匠パネルと前記発光素子との間に、前記発光素子からの光を拡散させる拡散板を設けてなることを特徴とする。
【００１１】
本発明は、前記課題を解決するために、スイッチを操作するための光透過性のスイッチノブと、前記スイッチノブの前面側に設けられ操作機能に応じた表示意匠が形成される意匠パネルと、前記スイッチ及び前記表示意匠を照明する発光素子とが実装される回路基板と、前記回路基板の表面に少なくとも前記発光素子周辺を除いて形成される光反射性の反射部と、前記発光素子周辺に設けられる低反射部と、を備えてなることを特徴とする。
【００１２】
また、前記低反射部は、前記発光素子を中心とした円形状に形成されてなることを特徴とする。
【００１３】
また、前記低反射部は、前記スイッチノブの少なくとも一部と対向するように形成されてなることを特徴とする。
【００１４】
また、前記反射部は、白色であることを特徴とする。
【００１５】
また、前記反射部はシルク印刷によって形成されてなり、前記低反射部はシルク印刷がなされない個所からなることを特徴とする。
【００１６】
また、前記意匠パネルと前記発光素子との間に、前記発光素子からの光を拡散させる拡散板を設けてなることを特徴とする。
【発明の効果】
【００１７】
本発明は、照明装置及びこの照明装置を備える操作スイッチ装置に関し、意匠パネルの透過照明を均一化することが可能となるものである。
【発明を実施するための最良の形態】
【００１８】
以下、本発明の照明装置を車両用計器における各種機能の切り換えまたは確定等の各種操作を行うための操作スイッチ装置に適用した実施の形態につき添付図面に基づいて説明する。
【００１９】
図１は操作スイッチ装置の外観及び断面図を示している。操作スイッチ装置は、スイッチケース１と、スイッチノブ２と、スイッチパネル（意匠パネル）３と、回路基板４と、から主に構成される。なお、５はスライドスイッチであり、６はスライドスイッチ５を操作するためのスライドスイッチノブである。
【００２０】
スイッチケース１は、ＡＢＳ等の樹脂材料からなる上ケース１ａ及び下ケース１ｂとからなり、操作スイッチ装置を構成する各部材を収納するものである。
【００２１】
スイッチノブ２は、光透過性を有するアクリル樹脂やポリカーボネート樹脂等からなり、上ケース１ａに設けられる開口部に配設され、押圧することによって回路基板４に実装されるスイッチ４ａを操作可能な形状に形成されている。また、スイッチノブ２にシボ加工を施すなどしてスイッチ照明用ＬＥＤ４ｂからの光を拡散させる機能を持たせてもよい。
【００２２】
スイッチパネル３は、スイッチノブ２の前面側に設けられ、操作スイッチ装置の操作機能に応じた文字や図形等からなる光透過性の表示意匠３ａが印刷等の方法で形成されてなるものである。また、スイッチパネル３は、警告や機能の実行等を発光表示にて報知する発光表示部３ｂが形成されている。
【００２３】
回路基板４は、スイッチケース１に収納されるものであって、スイッチノブ２の配設位置に応じて配置されるスイッチ４ａと、スイッチパネル３の表示意匠３ａを透過照明するためのスイッチ照明用ＬＥＤ４ｂと、スイッチパネル３の発光表示部３ｂを照明するための発光表示部照明用ＬＥＤ４ｃと、が実装されてなるものである。また、回路基板４には配線パターンが形成されており、接続コードＡを介して被操作機器である前記車両用計器と電気的に接続される。スイッチ４ａは、例えばタクトスイッチ等からなる押しボタンスイッチであり、スイッチノブ２の押圧によって操作され、前記車両用計器における各種機能の切り換えまたは確定等の各種操作が実行される。
【００２４】
また、回路基板４は、図２に示すように、スイッチ４ａ及びスイッチ照明用ＬＥＤ４ｂの実装面側に、スイッチ照明用ＬＥＤ４ｂの周辺を除いて形成される光反射性の高い反射部４ｄとスイッチ照明用ＬＥＤ４ｂの周辺に設けられる低反射部４ｅとを有する。反射部４ｄは、本実施形態においてはシルク印刷によって形成される白色層からなる。低反射部４ｅは、反射部４ｄよりも光反射性が低く形成されるものであり、本実施形態においてはシルク印刷がなされない個所、すなわち反射部４ｄの非形成個所からなる。また、本実施形態ではスイッチ照明用ＬＥＤ４ｂは列状に配置される３つのスイッチ４ａの間に配設されている。そのため、低反射部４ｅは、スイッチ照明用ＬＥＤ４ｂの実装位置を中心とした円形状に形成されている。スイッチ照明用ＬＥＤ４ｂから発せられる光は全周方向に向けられるため、低反射部４ｅを円形状にすることでスイッチパネル３の表示意匠３ａのうちスイッチ照明用ＬＥＤ４ｂ及びその周辺と対向する部分が過度に明るくなることを抑制可能である。また、低反射部４ｅはスイッチノブ２の一部と対向するように形成されており、利用者に注視されやすいスイッチノブ２と対向する表示意匠３ａで照明ムラが生じることをより確実に抑制可能である。なお、低反射部４ｅとしては前記白色層とは別に低反射性の黒色層等を印刷形成するものであってもよい。また、反射部４ｄと低反射部４ｅとの境界部分をシルク印刷をドット状や網目状に形成するなどして反射性を徐々に変化させるようにしてもよい。また、回路基板４には、低反射部４ｅと同様にシルク印刷がなされない個所からなり上ケース１ａ等が接触する個所を示す指標部４ｆが設けられており、上ケース１ａの実装作業の効率を向上させることが可能となっている。
【００２５】
以上の各部によって操作スイッチ装置が構成されている。
【００２６】
本実施形態における照明装置及びこの照明装置を適用した操作スイッチ装置は、回路基板４に表示意匠３ａを照明するスイッチ照明用ＬＥＤ４ｂの周辺においては過剰な明るさを抑制する低反射部４ｅを形成し、明るさを増す必要のあるスイッチ照明用ＬＥＤ４ｂの配置位置から離れた個所においては反射部４ｄを形成することによって、小型化及び薄型化によってスイッチパネル３とスイッチ照明用ＬＥＤ４ｂとの間隔が近くなる場合であっても、照明のムラを抑制し、表示意匠３ａを均一な明るさで照明することが可能となる。
【００２７】
なお、本実施形態においては、スイッチパネル３とスイッチ照明用ＬＥＤ４ｂとの間にスイッチ照明用ＬＥＤ４ｂからの光を拡散させる拡散板を設けてもよく、拡散板によってより照明の均一化を行うことが可能となる。
【産業上の利用可能性】
【００２８】
本発明は、前述の実施形態であげた操作スイッチ装置のほか表示意匠を有する意匠パネルを透過照明する構造に広く適用可能であり、例えば車両用計器における文字板照明に適用することが可能である。
【図面の簡単な説明】
【００２９】
【図１】本発明の実施形態である操作スイッチ装置を示す外観図及び断面図。
【図２】同上の操作スイッチ装置の回路基板を示す図。
【符号の説明】
【００３０】
１    スイッチケース
１ａ  上ケース
１ｂ  下ケース
２    スイッチノブ
３    スイッチパネル（意匠パネル）
３ａ  表示意匠
４    回路基板
４ａ  スイッチ
４ｂ  スイッチ照明用ＬＥＤ
４ｄ  反射部
４ｅ  低反射部
Ａ    接続コード
【図１】
2010107654.tif 000003
【図２】
2010107654.tif 000004